(57)【特許請求の範囲】
【請求項１】
便座支持部材と、洋風便器の後部に該便座支持部材を取付ける取付装置本体とを備え、該便座支持部材に便座が上下方向回動可能に取付けられる便座取付装置において、
該取付装置本体は、洋風便器に固定される第１の取付部材と、該取付部材に対し電磁石の磁力によって固定される第２の取付部材とを備えており、
該第２の取付部材は該便座支持部材に固定されている便座取付装置であって、
該便座支持部材は便座ボックスであり、該便座ボックスから電源コードが延出しており、
該電源コードを商用電源に接続すると電磁石が励磁されることを特徴とする便座取付装置。
【請求項２】
便座支持部材と、洋風便器の後部に該便座支持部材を取付ける取付装置本体とを備え、該便座支持部材に便座が上下方向回動可能に取付けられる便座取付装置において、
該取付装置本体は、洋風便器に固定される第１の取付部材と、該取付部材に対し電磁石の磁力によって固定される第２の取付部材とを備えており、
該第２の取付部材は該便座支持部材に固定されている便座取付装置であって、
該便座支持部材は便座ボックスであり、該便座ボックスから電源コードが延出しており、
該電源コードを商用電源に接続すると共に、便座ボックスに設けられた電磁石用スイッチをオンとなるように操作することにより電磁石が励磁されることを特徴とする便座取付装置。
【請求項３】
請求項１又は２において、該第１の取付部材は第１の強磁性体を有しており、
第２の取付部材は、該第１の取付部材の強磁性体に対面する第２の強磁性体と、該第２の強磁性体を励磁するコイルとを備えてなることを特徴とする便座取付装置。
【請求項４】
請求項３において、該第１の強磁性体及び第２の強磁性体はいずれも板状であり、一方には凸部が設けられ、他方には該凸部が係合した凹部が設けられていることを特徴とする便座取付装置。
【発明の詳細な説明】
【０００１】
【発明の属する技術分野】
本発明は、便座を洋風便器に取付ける装置に関するものであり、特に便座ボックスなどの便座支持部材を洋風便器に対し容易に着脱できる便座取付装置に関する。
【０００２】
【従来の技術】
洋風便器に便座や便蓋を取付けるには、便座ボックスなどの便座支持部材を洋風便器に合成樹脂製のボルトによって固定し、この便座支持部材に便座や便蓋を上下方向回動可能に支持させることが多い。
【０００３】
この便座支持部材と洋風便器上面との間に尿などの汚れが染み込んで臭気の原因となり易い。そこで、便座支持部材を洋風便器に対し昇降装置によって上下動可能とし、洋風便器の清掃時に便座支持部材を便座と共に上方に移動させるようにしたものが提案されている（特開平９−２８６１９号公報）。
【０００４】
【発明が解決しようとする課題】
便座支持部材を昇降装置によって上下動可能とした場合、構造が複雑で高コストのものとなる。また、便座に着座状態にあるときに上昇スイッチをＯＮとすると昇降装置に無理な力が加わり、故障をひき起こすおそれがある。
【０００５】
本発明は、便座支持部材を洋風便器に容易に着脱でき、しかも構成が比較的簡易であり、耐久性に優れた便座取付装置を提供することを目的とする。
【０００６】
【課題を解決するための手段】
本発明（請求項１）の便座取付装置は、便座支持部材と、洋風便器の後部に該便座支持部材を取付ける取付装置本体とを備え、該便座支持部材に便座が上下方向回動可能に取付けられる便座取付装置において、該取付装置本体は、洋風便器に固定される第１の取付部材と、該取付部材に対し電磁石の磁力によって固定される第２の取付部材とを備えており、該第２の取付部材は該便座支持部材に固定されている便座取付装置であって、該便座支持部材は便座ボックスであり、該便座ボックスから電源コードが延出しており、該電源コードを商用電源に接続すると電磁石が励磁されることを特徴とするものである。
また、本発明（請求項２）の便座取付装置は、便座支持部材と、洋風便器の後部に該便座支持部材を取付ける取付装置本体とを備え、該便座支持部材に便座が上下方向回動可能に取付けられる便座取付装置において、該取付装置本体は、洋風便器に固定される第１の取付部材と、該取付部材に対し電磁石の磁力によって固定される第２の取付部材とを備えており、該第２の取付部材は該便座支持部材に固定されている便座取付装置であって、該便座支持部材は便座ボックスであり、該便座ボックスから電源コードが延出しており、該電源コードを商用電源に接続すると共に、便座ボックスに設けられた電磁石用スイッチをオンとなるように操作することにより電磁石が励磁されることを特徴とするものである。
【０００７】
かかる便座取付装置にあっては、第１の取付部材を洋風便器に固定しておき、この第１の取付部材に対し電磁石の磁力によって第２の取付部材を固定する。従って、この電磁石をＯＮとすると第２の取付部材が第１の取付部材に対し強固に固定される。また、電磁石をＯＦＦにすると、第２の取付部材を第１の取付部材から簡単に離脱させることができる。
【０００８】
本発明では、第１の取付部材は第１の強磁性体を有しており、第２の取付部材は、該第１の取付部材の強磁性体に対面する第２の強磁性体と、該第２の強磁性体を励磁するコイルとを備えてなることが好ましい。この場合、第１の強磁性体及び第２の強磁性体はいずれも板状であり、一方には凸部が設けられ、他方には該凸部が係合した凹部が設けられていることが好ましい。
【００１１】
【発明の実施の形態】
以下、図面を参照して実施の形態について説明する。図１は実施の形態に係る便座取付装置によって便座ボックスを取付けた洋風便器の側面図、図２は図１のII−II線に沿う断面図、図３は便座ボックスの透視斜視図、図４は便座ボックスの着脱の様子を示す分解斜視図、図５は鉄板３の斜視図、図６は鉄板２の斜視図である。
【００１２】
便座ボックス１の底部に強磁性体としての鉄板２がインサート成形や接着などにより一体的に固着されている。便座ボックス１の底面には、後述の鉄板３と略同じ大きさの凹部１ａが設けられている。
【００１３】
この鉄板２は、図６の通り略Ｕ字形状であり、コイル２ａが巻回され、これによって鉄板２が１個のＵ字形の電磁石となっている。この鉄板２とコイル２ａとによって第２の取付部材が構成されている。
【００１４】
この鉄板２の下面からは２個の凸部２ｂが突設されている。
【００１５】
洋風便器１の後部上面に強磁性体としての鉄板３がボルト５によって固定されている。この鉄板３には、洋風便器４の前後方向に延在する凹条３ａが設けられ、この凹条３ａ内に同じく洋風便器４の前後方向に延在するスリット３ｂが設けられている。このスリット３ｂの上側に合成樹脂製のボルト５の平板状の頭部５ａが差し込まれる。ボルト５の螺子棒部５ｂが該スリット３ｂを通って下方に延出される。ボルト頭部５ａは凹条３ａに嵌合する大きさとなっている。この鉄板３が第１の取付部材を構成している。
【００１６】
洋風便器４の便鉢４ａの後方部には、このボルト５の螺子棒部５ｂを通すためのボルト挿通孔４ｂが設けられている。平パッキン６を介して鉄板２を洋風便器４上に載せ、ボルト５を該ボルト挿通孔４ｂに通し、半球パッキン８及びスリップワッシャ９を介してナット１０を該ボルト５に装着する。便座ボックス１に装着された便座１１の前端が洋風便器４の前端から５〜２０ｍｍ程度突出するように便座ボックス１の前後位置を調整してから該ナット１０を締め込み、便座ボックス１を洋風便器４に固定する。
【００１７】
この便座ボックス１には、便蓋１２も上下方向回動自在に取り付けられている。この便座ボックス１の内部に温水噴射ノズル等の人体臀部洗浄機構が設置されている。
【００１８】
上記のボルト５の頭部５ａの厚みは凹条３ａの深さよりも小さい。また、鉄板２の凸部２ｂの高さも凹条３ａの深さよりも小さい。そして、凸部２ｂの高さとボルト頭部５ａの厚みとの和は、凹条３ａの深さよりも小さい。
【００１９】
この凸部２ａは凹条３ａに嵌合する大きさとなっている。
【００２０】
この便座ボックス１からは電源コード１５が引き出され、その先端にプラグ１６が設けられている。便座ボックス１内には、商用電源を直流電圧に整流し、コイル２ｃに供給するための整流回路（図示略）とスイッチ１７が設けられている。
【００２１】
便座ボックス１を鉄板３の上に載せると、便座ボックス１の下面の凹部１ａが鉄板３と係合する。そして、プラグ１６をコンセントに差し込み、スイッチ１７をＯＮにすると、コイル２ｃが励磁され、鉄板２，３同士が強力に磁力によって吸着し、便座ボックス１が洋風便器４に固定される。スイッチ１７をＯＦＦにすると、鉄板２，３の吸着力が消失し、便座ボックス１を洋風便器から簡単に取り外すことができる。
【００２２】
上記実施の形態にあってはスイッチ１７を設けているが、プラグ１６をコンセントに差し込むと直ちにコイル２ａに通電されるようにしてもよい。この場合、プラグ１６をコンセントから抜くことにより、便座ボックス１を洋風便器４から外すことができる。
【００２３】
【発明の効果】
以上の通り、本発明は便座ボックス等の便座支持部材を電磁石の吸引力を利用して洋風便器に固定するようにしたものであり、便座ボックスをきわめて容易に洋風便器に対し着脱することができる。
【図面の簡単な説明】
【図１】実施の形態に係る便座取付装置によって便座ボックスを取付けた洋風便器の側面図である。
【図２】図１のII−II線に沿う断面図である。
【図３】便座ボックスの透視斜視図である。
【図４】便座ボックスの着脱の様子を示す分解斜視図である。
【図５】鉄板３の斜視図である。
【図６】鉄板２の斜視図である。
【符号の説明】
１  便座ボックス
２，３  鉄板
２ａ  コイル
４  洋風便器
５  ボルト
１６  プラグ
１７  スイッチ
【図１】
0004254012.tif 000002
【図２】
0004254012.tif 000003
【図３】
0004254012.tif 000004
【図４】
0004254012.tif 000005
【図５】
0004254012.tif 000006
【図６】
0004254012.tif 000007